(57)【要約】【課題】一つのブース内に陳列される商品の「総称表示」の一部を個々の収納袋に描き、所定の位置に収納袋を陳列して「総称表示」を完成させるようにすることで、収納袋の陳列作業を簡略化する。【解決手段】表示部１４が形成された複数の収納袋３０を、各区画に区分けされた陳列棚６０の吊下部４６に吊下げて陳列する陳列方法であって、表示部１４に、各区画に陳列される商品に関する総称情報の一部を表示する第一表示部位１５と、収納袋に収納された商品の個別情報を表示する第二表示部位１９を設け、複数の収納袋を、総称情報が完成する位置関係で吊下部４６に吊り下げて陳列する。【選択図】        図２
2006061564.tif 000002
【特許請求の範囲】
【請求項１】
表示部が形成された複数の収納袋を、各区画に区分けされた陳列棚の吊下部に吊下げて陳列する陳列方法であって、
前記表示部に、各区画に陳列される商品に関する総称情報の一部を表示する第一表示部位と、前記収納袋に収納された商品の個別情報を表示する第二表示部位を設け、
前記複数の収納袋を、前記総称情報が完成する位置関係で前記吊下部に吊り下げて陳列することを特徴とする陳列方法。
【発明の詳細な説明】
【技術分野】
【０００１】
本発明は収納袋の陳列方法に関する。具体的には、収納袋を陳列棚に吊下げて陳列する陳列方法に関する。
【背景技術】
【０００２】
大型店や専門店などでは、幅広な陳列棚を複数のブースに分けて各ブースごとに異なる種類の商品を陳列することが一般的に行われている。各ブースには、複数のフック部材が整列した吊下部が設けられている。吊下部には、商品を収納した収納袋が吊下げ状態で陳列される。
また各ブースの上方位置には、陳列された商品の種類などを示す表示パネルが配置される。例えば、表示パネルに「ボルト」という文字を記載することで、下のブースにはボルトが陳列されていることを一目で購買者が認識できる。
この種の表示パネルとして、特許文献１に記載された表示パネルが知られている。
【特許文献１】特開２００４−６８３１１号公報
【発明の開示】
【発明が解決しようとする課題】
【０００３】
しかし上述の陳列方法では、陳列作業に若干手間がかかるという問題があった。すなわち、表示パネルには、遠くから購買者が確認できるよう大きな板状の部材が使われる。この大きな板状の表示パネルを陳列棚の上方位置に配設する作業に手間がかかっていた。また表示パネルのスペース分、商品を陳列するスペースが狭くなってしまう。
更に収納袋は、あらかじめ定められた所定の位置に吊下げて陳列しなければならない。一般的には、各収納袋に記載された商品情報を見ながら収納袋を正しい陳列位置に吊下げていく。この商品情報は、収納袋の一部分に記載されている。このため、間違った位置に収納袋を吊下げても、作業者が一目見ただけでは気づきにくいものであった。
本発明は上述した点に鑑みて創案されたものである。すなわち、本発明が解決しようとする課題は、一つのブース内に陳列される商品の「総称表示」の一部を個々の収納袋に描き、所定の位置に収納袋を陳列して「総称表示」を完成させるようにすることで、収納袋の陳列作業を簡略化することにある。
【課題を解決するための手段】
【０００４】
上記課題を解決するために、本発明は次の手段をとる。
すなわち、表示部が形成された複数の収納袋を、各区画に区分けされた陳列棚の吊下部に吊下げて陳列する陳列方法であって、表示部に、各区画に陳列される商品に関する総称情報の一部を表示する第一表示部位と、収納袋に収納された商品の個別情報を表示する第二表示部位を設け、複数の収納袋を、総称情報が完成する位置関係で吊下部に吊り下げて陳列することを特徴とする。
【０００５】
ここで「総称情報」とは、一つのブース内に陳列される商品すべてに共通で、複数の収納袋を吊るすことによってその全体が表示される絵文字や文字情報などをいう。
また「表示部」は、収納袋と別の部材で形成されていてもよい。また「表示部」は、収納袋に印刷されるなどして一体的に形成されていてもよい。
また「収納された商品」とは、例えば、ネジ類・ピン類・座金・釘類などの締結用部品，針金類・チェーン類・ワイヤ類などの建築用部品，管材・棒材・板材などの素材部品がある。
【０００６】
第一の発明では、収納袋の表示部に、第一表示部位と第二表示部位とを別々に表示する。第一表示部位には、総称情報のパーツの一つを表示する。第二表示部位には、収納袋に収納された商品の個別情報を表示する。そして複数の収納袋を、上述の総称情報が完成する位置関係で吊下部に吊り下げて陳列する。
【発明の効果】
【０００７】
上述した本発明によれば、次の効果を得ることができる。
すなわち、陳列された収納袋により総称情報を表示するため、総称情報を表示した表示パネルを別途配設する必要がない。表示パネルを配設する作業がない分、収納袋の陳列作業を簡略化できる。
また表示部には、個別情報を表示する第二表示部位を形成するとともに、総称情報のパーツの一つを表示する第一表示部位を形成する。そして総称表示を完成させるように各収納袋を陳列していく。このため、正しい陳列位置に収納袋が吊下げられているかどうかを総称表示が完成するかどうかでも判断できる。この結果として、収納袋の陳列時の位置決めが容易となる。
【発明を実施するための最良の形態】
【０００８】
本発明を実施するための最良の形態を図面を参照して説明する。図１は、収納袋の正面図である。図２は、収納袋を陳列した陳列棚の斜視図である。なお各図に付された斜線は色を示す。異なる斜線が付された部位は、異なる色が付されていることを示す。
本実施例に係る収納袋の陳列方法では、図２の通り、複数の収納袋が陳列棚に吊下げられる。なお図２では、複数の収納袋のうちで収納袋３０のみに符号を付し、他の収納袋については符号を付さないこととする。
そして、それぞれ所定の位置関係で複数の収納袋が吊下げられることで、「ボルトのピクトサイン４３」が完成する。つまり複数の収納袋それぞれが「ボルトのピクトサイン４３」の一部を構成することを特徴とする。
以下に、陳列方法に使用する各構成要素について説明する。なお、収納袋については、収納袋３０を例にとって説明する。他の収納袋の基本構成は、収納袋３０の基本構成と同様であるためその詳細な説明を省略する。
【０００９】
［収納袋］
図１の収納袋３０は、表示具１４と袋体２４とからなる。
先ず、袋体２４は、扁平筒状フィルムを開放可能な開口を残して周辺部を融着したものである。袋体２４の内部にはボルト２８が複数個収納されている。
次に、表示具１４は平板な部材である。平板な表示具１４が二つ折りにされ、袋体２４の開口を挟みこんで閉塞している。図１には、二つ折り状態となった表示具１４の一方である前表面部が表されている。また同状態の表示具１４の他方である裏表面部（図示しない。）は、図１の裏面側に位置する。この前表面部と裏表面部とは袋体２４に貼付されている。以下、単に表示具１４という場合には、表示具１４の前表面部のことを意味する。
この表示具１４には、第一表示部位１５と第二表示部位１９とが形成されている。
【００１０】
まず表示具１４には、ボルト２８の個別情報が印刷されている。つまりボルト２８の基準寸法を表す文字「Ｍ３×３０」が横書きで中央位置に表示されている。また、ボルト２８の絵文字２８ａが右上部位置に描かれている。
【００１１】
第一表示部位１５は、この「Ｍ３×３０」を略四角に囲う部位であり、ボルト２８に対応付けられた色によって着色されている。第一表示部位１５の中にある「Ｍ３」の文字は円形の部位で更に囲われている。円形の部位は、第一表示部位１５の色とは別の色で、且つ「Ｍ３」という基準寸法に対応付けられた色によって着色されている。
【００１２】
第二表示部位１９は、第一表示部位１５以外の表示具１４の部位である。本実施例では、中央に位置する第一表示部位１５で分けられた上部部位２０と下部部位２２とで第二表示部位１９が構成されている。
収納袋３０の上部部位２０と下部部位２２とには、５本の曲線が描かれている。この５本の曲線は、図２の「ボルトのピクトサイン４３」の一部を構成する。
【００１３】
なお第一表示部位１５は、収納されるボルトの種類によってその記載内容が異なるため、収納袋３０と他の収納袋とで記載が異なる場合がある。
また第二表示部位１９は、複数の収納袋それぞれに異なる図柄が描かれることとなる。
【００１４】
また表示具１４の上部位置にはミシン目１６が形成されている。ミシン目１６は、表示具１４を図１で見て左右に横断して形成されている。ミシン目１６に沿って、表示具１４の裏表面部を袋体２４から切り離して収納袋３０を購入者が開放することができる。
また、表示具１４の上部中央位置には貫通孔１８が形成されている。貫通孔１８は、後述のフック部材５０を挿通させるための孔である。
【００１５】
［陳列棚］
図２の陳列棚６０は、平板状のパネル４０と棚部材４８とからなる。パネル４０には、板状の区画表示部４２が複数枚配設されている。同図に示す二枚の区画表示部４２，４２で挟まれた部位はボルトを陳列するためのブースとなっている。このブースがボルトを陳列する場所であることを示すため、同図で見て右側の区画表示部４２はボルトに対応付けられた色によって着色されている。同区画表示部４２には、陳列される各ボルトの絵文字が５つ縦に並んで描かれている。
またブースの上部部位は、吊下部４６となっている。吊下部４６は、複数の収納袋を吊下げる区画であり、そのためのフック部材５０が整列して配置されている。なお図面上、一つのフック部材５０にのみ番号を付けることとする。
【００１６】
［陳列方法］
先ず、陳列棚６０の手前側を表示具１４が臨む向きで、吊下部４６に収納袋３０を近づけていく。
次に収納袋３０を所定の位置のフック部材５０に吊下げる。この所定の位置とは、表示具１４の第二表示部位１９の図柄と「ボルトのピクトサイン４３」とが対応する位置関係となる位置のことである。すなわち、表示具１４の第二表示部位１９に描かれた５本の曲線は「ボルトのピクトサイン４３」の先端部分の図柄に相当する。この「ボルトのピクトサイン４３」の先端部分は、図２で見て左から３列目の最下段のフック部材５０の配置位置に相当する。よって、この左から３列目の最下段に位置するフック部材５０に収納袋３０を吊下げることとなる。
そして他の収納袋も同様に、「ボルトのピクトサイン４３」に対応させて吊下部４６に吊下げていく。収納袋３０を含む複数の収納袋すべてが陳列されると、図２に示す「ボルトのピクトサイン４３」が完成することとなる。
【００１７】
［作用・効果］
先ず陳列された複数の収納袋により図２の「ボルトのピクトサイン４３」を表示するため、表示パネルを別途配設する必要がない。表示パネルを配設する作業がない分、複数の収納袋の陳列作業を簡略化できる。また表示パネルのスペース分、商品を陳列するスペースが狭くなってしまうことがない。
また表示具１４には、個別情報を表示する第二表示部位１９を形成するとともに、「ボルトのピクトサイン４３」の一部を表示する第一表示部位１５を形成する。そして「ボルトのピクトサイン４３」を完成させるように複数の収納袋を陳列していく。このため、例えば、正しい陳列位置に収納袋３０が吊下げられているかどうかを「ボルトのピクトサイン４３」が完成するかどうかでも判断できる。この結果として、複数の収納袋の陳列位置決めが更に容易となる。
【００１８】
［その他の実施の形態］
先ず、第一表示部位１５と第二表示部位１９との位置関係は適宜変更可能である。例えば、図１で見て表示具１４を上下に二等分して、第一表示部位１５を下側に形成し、第二表示部位１９を上側に形成してもよい。また、表示具１４の前表面部に第二表示部位１９のみを表示し、表示具１４の裏表面部に第一表示部位１５を表示してもよい。
【００１９】
次に、第一表示部位１５と第二表示部位１９とが袋体２４に直接印刷されていてもよい。この場合には、ボルト２８を収納した状態で袋体２４の開口部分を融着しておくこととなる。表示具１４を袋体２４に貼付する必要がないため、陳列作業時に誤って表示具１４が袋体２４から剥離してしまうということがない。
【００２０】
次に、第二表示部位１９には、「ボルトのピクトサイン４３」の一部を表示したが、「ボルトの文字」の一部を表示してもよい。「ボルトのピクトサイン４３」と「ボルトの文字」の両者を表示してもよい。
また図２では「ボルトのピクトサイン４３」が一つ表示されているが、複数の「ボルトのピクトサイン４３」を表示してもよい。また異なる形状や大きさの「ボルトのピクトサイン」を複数個表示してもよい。
また、第二表示部位１９では、「ボルトのピクトサイン４３」の図柄部分のみを着色したが、それ以外の部分も異なる色で着色しておいてもよい。また「ボルトのピクトサイン４３」部分以外の部分のみを着色してもよい。
【００２１】
次に、複数の収納袋それぞれに「陳列配置情報」を付してもよい。
例えば、図２で見て横の列のフック部材５０に「A，B，C…」と番号を付す。更に、同図で縦の列のフック部材５０に「１，２，３…」と番号を付す。
そして収納袋３０の表示具１４には、「Ｃ−６」という「陳列配置情報」を付す。
作業者は、この「Ｃ−６」という「陳列配置情報」を見て、正しい位置のフック部材５０に収納袋３０を吊下げることができる。
これにより、「ボルトのピクトサイン４３」の図柄が付されていない他の収納袋でも、正しい陳列位置に吊下げることができる。
【００２２】
次に、図１の収納袋３０の貫通孔１８の形成位置は、各収納袋ごとに異なっていてもよい。例えば収納袋３０の貫通孔１８の形成位置を、他の収納袋の貫通孔１８の形成位置よりも上方位置に形成する。この場合、貫通孔１８を上方位置に形成した収納袋３０を左から二列目で下から二列目のフック部材５０にかけると、貫通孔１８が上方位置にあるため、他の収納袋よりも収納袋３０の方が下に突出する。このため収納袋３０の配置位置が違うということがすぐに認識できる。特に第二表示部位１９に記載された図柄が似通っていても、収納袋３０の配置位置が間違っているということがすぐに認識できる。
【００２３】
次に、ボルト２８の絵文字２８ａの頭部分を円形の部位で囲ってもよい。円形の部位は、第一表示部位１５の色とは別の色で、且つボルト２８の頭の形状に対応付けられた色によって着色されている。また同時に、同区画表示部４２に描かれた各ボルトの頭部分も、円形の部位で囲んでもよい。この円形の部位は、各ボルトの頭の形状に対応付けられた色によって着色される。収納袋３０の価格を表したドットを表示具１４に付してもよい。
【００２４】
次に、一つのブースで異なる「総称表示」を表示することもできる。例えば、互いに嵌め合い可能なボルトとナットと同じブース内で陳列する。このとき図２の吊下部４６を上下二つの部位に分ける。上三列のフック部材５０にはボルトの収納袋を陳列する。下三列のフック部材５０にはナットの収納袋を陳列する。ボルトの収納袋を陳列する上方部位では、「ボルトのピクトサイン」を表示し、ナットの収納袋を陳列する下方部位では、「ナットのピクトサイン」を表示することができる。このとき、「ボルトのピクトサイン」と「ナットのピクトサイン」とは同じ色で着色されるのが好ましい。互いに嵌め合い可能なボルトとナットとを購買者が一目で認識できるためである。
【図面の簡単な説明】
【００２５】
【図１】収納袋を陳列した陳列棚の斜視図である。
【図２】収納袋の正面図である。
【符号の説明】
【００２６】
１４   表示具
１５   第一表示部位
１６   ミシン目
１８   貫通孔
１９   第二表示部位
２０   上部部位
２２   下部部位
２４   袋体
２８   ボルト
２８ａ ボルト２８の絵文字
３０   収納袋
４０   パネル
４２   区画表示部
４３   ピクトサイン
４６   吊下部
４８   棚部材
５０   フック部材
６０   陳列棚
【図１】
2006061564.tif 000003
【図２】
2006061564.tif 000004